(57)【要約】【課題】ソーラーパネルモジュール取付構造そのものに止水及び排水等の屋根機能を付与することで、安価なソーラー発電システムとなるソーラーパネルモジュールの取付構造の提供を目的とする。【解決手段】駆体側の取付ベース部に竪フレームと横フレームを縦横に取り付け、当該竪フレームと横フレームにソーラーパネルモジュールを固定するソーラーパネルモジュールの取付構造であって、ソーラーパネルモジュールは上下の上枠、下枠と左右の竪枠にて枠組してあり、前記横フレームは、被係止片を有し、上枠に設けた係止部を前記被係止片に係着し、前記竪フレームは竪枠固定部及び、当該竪枠固定部の両側に止水立設片を有し、竪枠から横方向に突設した取付け片を竪フレームの竪枠固定部に固定するものであることを特徴とする。【選択図】  図１
2011052527.tif 000002
【特許請求の範囲】
【請求項１】
駆体側の取付ベース部に竪フレームと横フレームを縦横に取り付け、
当該竪フレームと横フレームにソーラーパネルモジュールを固定するソーラーパネルモジュールの取付構造であって、
ソーラーパネルモジュールは上下の上枠、下枠と左右の竪枠にて枠組してあり、
前記横フレームは、被係止片を有し、
上枠に設けた係止部を前記被係止片に係着し、
前記竪フレームは竪枠固定部及び、当該竪枠固定部の両側に止水立設片を有し、
竪枠から横方向に突設した取付け片を竪フレームの竪枠固定部に固定するものであることを特徴とするソーラーパネルモジュールの取付構造。
【請求項２】
ソーラーパネルモジュールの上枠は、それより上方に取付けるソーラーパネルモジュールの下枠を係着する被係止部を有することを特徴とする請求項１記載のソーラーパネルモジュールの取付構造。
【発明の詳細な説明】
【技術分野】
【０００１】
本発明は、ソーラーパネルモジュールの取付構造に関する。
【背景技術】
【０００２】
太陽光エネルギーを有効利用するのに、ソーラー発電システムの普及が不可欠とされている。
しかし、ソーラーパネルモジュールを建築物の屋根等に取り付ける場合に、従来は風雨から建築物をまもるのに屋根を形成し、その上にさらにアングル等を組み込み二次的に設置施工するのが一般的であったために工事費が高くなり、普及の妨げになっていた。
特許文献１，２にソーラーパネルの取付構造を開示するが、やはり構造が複雑であり屋根に対する二次的取付構造になっている。
【先行技術文献】
【特許文献】
【０００３】
【特許文献１】特開２００２−２２０９０４号公報
【特許文献２】特開２００２−２２７３５３号公報
【発明の概要】
【発明が解決しようとする課題】
【０００４】
本発明は、ソーラーパネルモジュール取付構造そのものに止水及び排水等の屋根機能を付与することで、安価なソーラー発電システムとなるソーラーパネルモジュールの取付構造の提供を目的とする。
【課題を解決するための手段】
【０００５】
本発明に係るソーラーパネルモジュール取付構造は、駆体側の取付ベース部に竪フレームと横フレームを縦横に取り付け、当該竪フレームと横フレームにソーラーパネルモジュールを固定するソーラーパネルモジュールの取付構造であって、ソーラーパネルモジュールは上下の上枠、下枠と左右の竪枠にて枠組してあり、前記横フレームは、被係止片を有し、上枠に設けた係止部を前記被係止片に係着し、前記竪フレームは竪枠固定部及び、当該竪枠固定部の両側に止水立設片を有し、竪枠から横方向に突設した取付け片を竪フレームの竪枠固定部に固定するものであることを特徴とする。
ここで、駆体側の取付ベース部は屋根に限定されるものではなく、建築物の壁や傾斜面でもよく、取付対象物を選ばない。
【０００６】
本発明にあっては、ソーラーパネルモジュールの上枠は、それより上方に取付けるソーラーパネルモジュールの下枠を係着する被係止部を有するようにするとソーラーパネルモジュールを下側から順次、引っかけるようにして敷設できる。
【０００７】
また、本発明にあっては、上下方向にソーラーパネルモジュールを並設する際に、上枠と下枠とに相互に隙間を設けて入り込む差し込み片を有するようにしてもよい。
【発明の効果】
【０００８】
本発明に係るソーラーパネルモジュールの取付構造にあっては、建築物敷設面に竪フレームと横フレームを縦横に取り付け、ソーラーパネルモジュールを枠組みした上枠に設けた係止部を横フレームの被係止片に係着し、竪枠に設けた取付け片を竪フレームの竪枠固定部にビス等を用いて固定するだけで、容易にソーラーパネルの設置施工ができる。
なお、隣り合う竪枠の取付け片と取付け片との上から必要に応じて目板を取付け固定することもできる。
このようにソーラーパネルモジュールを取り付けると、ソーラーパネルそのものが屋根に相当する役割を有し、仮にソーラーパネルと枠組の間に浸入した雨水は、下枠に設けた水抜き穴などを経由して上下枠の間から排水される。
上下枠間、竪枠間にあっては、上下枠間に設けた重ね部や竪枠の固定片で止水されるが、それでも浸入した雨水は、竪フレームに設けた竪枠固定部とその両側の止水立設片との間を経由して下流側に流下するので、複数のソーラーパネルモジュールを敷設すること自体が屋根構造としての役割をはたすことになる。
【図面の簡単な説明】
【０００９】
【図１】ソーラーパネルモジュールの枠組構造例を示す。
【図２】枠組のＡ−Ａ線、Ｂ−Ｂ線、Ｃ−Ｃ線断面図をそれぞれを示す。
【図３】竪フレームと横フレームの取付け例を示す。
【図４】枠組体を横フレームに係着する手順を示す。
【図５】枠組体を竪フレームに取付ける手順を示す。
【図６】ソーラーパネルモジュールの敷設例を示す。
【図７】竪フレームと横フレームを連結具にて連結した例を示す。（ａ）は横フレームに上枠と下枠を取り付けた断面図を示し、（ｂ）は竪フレームに竪枠を取り付けた断面図を示す。
【図８】竪フレームと横フレームを連結具にて連結する構造例を示す。
【図９】ソーラーパネルモジュールを竪、横フレームに取り付ける例を示す。
【図１０】ソーラーパネルモジュールの上側に次のソーラーパネルモジュールを取り付ける例を示す。
【図１１】竪枠に目板を取り付ける例を示す。
【図１２】横フレームに下枠の被係止部を形成した例を示す。
【発明を実施するための形態】
【００１０】
図１にソーラーパネルモジュール１１０の斜視図を示し、図２（ａ）に上枠１１０のＡ−Ａ線断面図を示し、（ｂ）に下枠１２０のＢ−Ｂ線断面図を示し、（ｃ）に竪枠１３０のＣ−Ｃ線断面図を示す。
ソーラーパネルモジュール１００は、太陽光を電気に変換するモジュールをいい、左右の竪枠１３０と上枠１１０，下枠１２０にて枠組みされている。
【００１１】
図２（ａ）に示すように、上枠１１０はアルミ押出形材等にて製作されていて、基部１１１から略Ｌ字型に枠部１１３を立設し、枠部１１３の内側にはパネル３の端部を呑み込む溝を内側片１１３ａと外側片１１３ｂとにて形成してある。
また、枠部１１３の内側には竪枠１３０の内側に嵌着し、ビス止めするためのビスホール１１６ａ、１１６ｂが設けられている。
基部１１１には、後述する横フレーム２０に係止する係止部１１２とその上方に位置して、並設するソーラーパネルモジュールの下枠１２０を係着する被係止部１１７を有する。
なお、係止部１１２は横フレーム２０に係止できれば形状を問わないが、本実施例では図４に示すように基部１１１から係止片を下方に向けてＬ字形に延在させ、断面コ字形状の内側に横フレームの被係止片２２を呑み込ませるようになっている。
また、被係止部１１７はそれより上方に並設したパネルの下枠と係着できれば形状は特に問わない。
本実施例では被係止部１１７を突片状にし、下枠１２０の断面コ字形状の係着部１２２を引っかけやすくしてある。
【００１２】
下枠１２０は図２（ｂ）に示すように基部１２１から略Ｌ字型に枠部１２３を形成し、枠部１２３の内側に、上枠１１０と対向するように内側片１２３ａと外側片１２３ｂとでパネル３の嵌着溝を形成してある。
なお、必要に応じてシール部材４をパネルの外縁に取り付けてある。
枠部１２３の内側には竪枠１３０に嵌着して、組み立てるビスホール１２６ａ，１２６ｂを有し、部分的に切り欠いて水抜き穴１２６を設けてある。
下枠１２０は、基部１２１の上端から下枠に向けて折り返した係着部１２２を有する。
【００１３】
竪枠１３０は、図２（ｃ）に示すように基部１３４から枠部１３２を立設し、枠部の内側に上枠及び下枠の端部を嵌着し、ビス１５にて枠組みする。
枠部１３２の内側には内側片１３２ｂと外側片１３２ａとでパネル３の嵌着部を形成してある。
枠部１３２の外側には横方向に突出させた取付片１３１を有する。
【００１４】
上記のように枠組したソーラーパネルモジュール１００は、図６に敷設状態を示すように野地等の取付ベース部１に竪フレーム１０と横フレーム２０を縦横にマス目状にビス等にて固定し、この横フレーム２０にソーラーパネルモジュール１００を引っかけつつ、竪フレーム１０に固定できるようになっている。
その手順を図３〜図５に基づいて以下説明する。
本発明は、ソーラーパネルモジュール１００を縦横に敷設し、屋根としての機能を付与する点に特徴があり、取付ベース部１は屋根のいわゆる野地板等であってよい。
【００１５】
図３に示すように取付ベース部１に上下方向に竪フレーム１０を取り付け、竪フレーム１０と直交する横方向に横フレーム２０を取り付ける。
本発明は、竪フレーム１０に沿って雨水が流れ落ちるようになっていて、竪フレーム１０の下端部に樋２を設けてもよい。
なお、この樋２はソーラーパネルモジュールを屋根に取り付けた場合の例であって必ずしも必要ではない。
樋２は、雨水を下に誘導するパイプ２ａに連結してもよい。
【００１６】
図４（ａ）に示すように横フレーム２０は断面「エ」字形状になっていて、取付ベース部１に固定する横固定片２１から斜め上方に向けて被係止片２２を立設し、内側に上枠１１０の係止部１１２を係止する被係止溝２２ａを形成してある。
これにより、下枠１１０を横フレーム２０に簡単に係止固定できるので、取付作業中にパネルが下方に落下する恐れもなくなる。
ソーラーパネルモジュール１００は、図６に示すように横フレーム２０に引っかけた状態で竪フレーム１０に向けてスライドできる。
次に図４（ｂ），（ｃ）に示すように取り付けたパネルより上方に位置するパネルを取り付ける。
図２に示すように、上枠１１０の外側に向けて設けた差し込み片１１５と、その上方に配置するパネルの下枠１２０の外側に設けた差し込み片１２５とが交互に隙間を設けて配置されるようにして下枠１２０の係着部１２２をそれより下に位置する上枠１１０の被係止部１１７に係着する。
係着部１２２と対向する基部１２１側に突片１２１ａを有する。
また、この際に上枠１１０の重ね片１１４の上に下枠１２０の重ね片１２４が重なるようにする。
このようにすると、相互の重ね片の重ね部にて止水されることになるが、仮に内部に浸入しても、交互に配置した差し込み片１１５，１２５にて雨水の運動エネルギーを抑えたり、毛細管現象による浸入を抑えることができる。
【００１７】
また、ソーラーパネルモジュール１００の竪枠１３０は、図５に示すように固定する。
竪フレーム１０は、取付ベース部１に固定するための竪固定片１１と、この竪固定片１１から立設した竪枠固定部１２を有し、その両側にこの竪固定片１１から立設した止水立設片１３をそれぞれ有し、竪枠固定部１２と止水立設片１３との間に排水凹部１４が形成されるので、仮に雨水が浸入してもこの排水凹部を経由して排水される。
図５（ｃ）に示すように左右の竪枠１３０，１３０に設けた取付片１３１を竪フレーム１０の竪枠固定部１２にビス１６を用いてビス止めした後に左右の竪枠１３０，１３０との間を塞ぐように目板３２をビス３３にてビス止めする。
目板３２は、取付け部３１とその両側から立設し、上部を外側に向けて折り返した押え片３２を有し、押え片の裏面には複数の凸片３２ａを設け、竪枠１３０の上面側に設けた凸片１３３ａと交互にかみ合うようになっている。
このように交互にかみ合う凸片にしたことにより、雨水の運動エネルギーを消耗させ、毛細管現象による浸入を抑える。
【００１８】
このような上枠、下枠、竪枠の取付構造を採用したことにより、止水性が高く、仮に和右組み等の間から浸入しても竪フレーム１０の止水立設片１３を有するので簡単な構造でありながら屋根としての機能を十分に有するようになる。
【００１９】
次に、他の実施例として竪フレーム１０Ａと横フレーム２０Ａを略Ｌ字形状の連結具４０Ａにて連結した例を説明する。
先の実施例と共通する部分については、先に説明した実施例に対応する符号Ａを付して図面に表示したので詳細な説明は省略し、相違点のみ説明する。
図７は、竪フレーム１０Ａと横フレーム２０Ａを連結具４０Ａで連結したものにソーラーモジュール１００Ａを並設した構造例を示し、（ａ）は横フレーム２０Ａ付近の断面図を示し、（ｂ）は竪フレーム１０Ａ付近の断面図を示す。
【００２０】
図８〜図１１は、その取り付け手順を示す。
図８に示すように、竪フレーム１０は立設した竪枠固定部１０Ａの両側に排水凹部１４Ａが形成されるように突部状の止水立設片１３Ａを形成してあるが、この止水立設片１３Ａの両サイド外側にボルトの頭部を上下方向からスライド挿入でき、且つボルトが抜け落ちないようにした断面略コ字形状の連結溝１７Ａを設けた例になっている。
この連結溝１７Ａに連結具４０Ａの一方に取り付けたボルト・ナットからなる固定具１７のボルト側の頭をスライド挿入し、連結具４０Ａの他方に取り付けたボルト・ナットの固定具１９Ａを介して横フレーム２０Ａを相互に連結する。
【００２１】
次に、図９に示すようにソーラーモジュールパネル１００Ａの上枠１１０Ａに設けた係止部１１２Ａを横フレーム２０Ａの被係止片２２Ａに係着し、竪枠固定部１２Ａに竪枠１３０Ａの取付片１３１Ａをビス止めする。
次に、図１０に示すように上側のソーラーモジュール１００Ａの下枠１２０Ａに設けた係着部１２２Ａを横フレーム２０Ａに係止した係止部１１２Ａに外側からかぶせるようにした被係止部１１７Ａに係止する。
その後に図１１に示すように目板３０Ａを取り付ける。
【００２２】
図１２には、横フレーム２０Ｂにも下枠１２０Ｂの被係止部２２Ｃを設けることで上枠１１０Ｂの被係止部１１７Ｂとの両方で下枠１２０Ｂを支えた例を示す。
また、竪フレーム１０Ｂを連結具４０Ａとブラケット４０Ｂにて固定した例となっている。
この場合も竪フレーム１０Ｂに止水立設片１３Ｂと排水凹部１４Ｂを形成してある。
【符号の説明】
【００２３】
１        取付ベース部
２        樋
１０      竪フレーム
１１      竪固定片
１２      竪枠固定部
１３      止水立設片
１５      ビス
２０      横フレーム
２１      横固定片
２２      被係止片
３０      目板
３１      取付け部
３２      押え片
１００    ソーラーパネルモジュール
１１０    上枠
１１１    基部
１１２    係止部
１１３    枠部
１１４    重ね片
１１５    差し込み片
１１６ａ  ビスホール
１１７    被係止部
１２０    下枠
１２１    基部
１２２    係着部
１２３    枠部
１２５    差し込み片
１３０    竪枠
１３１    取付片
１３２    枠部
１３４    基部
【図１】
2011052527.tif 000003
【図２】
2011052527.tif 000004
【図３】
2011052527.tif 000005
【図４】
2011052527.tif 000006
【図５】
2011052527.tif 000007
【図６】
2011052527.tif 000008
【図７】
2011052527.tif 000009
【図８】
2011052527.tif 000010
【図９】
2011052527.tif 000011
【図１０】
2011052527.tif 000012
【図１１】
2011052527.tif 000013
【図１２】
2011052527.tif 000014